(57)【要約】【課題】携帯電話機等の画像表示装置の画面上に表示される情報を他の機器等において利用可能な状態で取得する。【解決手段】取得する情報の表示が行われる位置における携帯電話機１０の画面１１上、例えば通話時間をカウントするカウンタが表示される位置に光センサ等の検知手段２１を配置して、前記画面１１に表示される画像の変化（例えば前記カウンタの出現）を検知し、この検知信号を携帯電話機１０とこの携帯電話機１０により呼び出された着信側電話機との間の回線が確立したことを示す情報として取得する。【選択図】　図１
2004032611.tif 000002
【特許請求の範囲】
【請求項１】
少なくとも取得する情報の表示が行われる位置に対応する携帯電話機等の画像表示装置の画面上において前記画面に表示される画像の変化を検知し、この変化を検知した検知信号を前記情報として取得することを特徴とする携帯電話機等の画像表示装置の画面から情報を取得する方法。
【請求項２】
前記画像の変化が、通話時間をカウントするカウンタの出現である請求項１記載の携帯電話機等の画像表示装置の画面から情報を取得する方法。
【請求項３】
少なくとも取得する情報の表示が行われる位置に対応する携帯電話機等の画像表示装置の画面上に取り付けられ、該画面上に表示される画像の変化を検知して検知信号を出力する検知手段を有することを特徴とする携帯電話機等の画像表示装置の画面から情報を取得する装置。
【請求項４】
前記検知手段が光センサである請求項３記載の携帯電話機等の画像表示装置の画面から情報を取得する装置。
【請求項５】
前記画面による反射光が前記光センサに受光されるよう、前記取得する情報の表示が行われる位置における前記携帯電話機等の画像表示装置の画面上の位置に光を照射する光源を備えたことを特徴とする請求項４記載の携帯電話機等の画像表示装置の画面から情報を取得する装置。
【請求項６】
前記画面を被覆するカバーを設けると共に、該カバーに設けられた取付孔内に前記光センサ又は光センサ及び光源を取り付けたことを特徴とする請求項４又は５記載の携帯電話機等の画像表示装置の画面から情報を取得する装置。
【請求項７】
携帯電話機に設けられたシリアルピンを介して前記携帯電話機と接続され、前記携帯電話機を操作可能と成すコンピュータ端末と、
前記コンピュータ端末機に接続され、前記コンピュータ端末及び前記携帯電話機を介して通話を可能と成す通話手段と、
通話時間のカウンタが表示される位置における前記携帯電話機等の画像表示装置の画面上に取り付けられ、該画面上に表示される前記カウンタの出現を検知する検知手段を備えた画像検出装置とを備え、
前記コンピュータ端末は、予め記憶されたプログラムに従って前記携帯電話機を介して複数の電話番号に連続してダイヤルを行うよう構成されて成り、
一の番号のダイヤルに対し、設定されたタイミング内に前記画像検出装置による前記カウンタの出現が検出されないとき、前記携帯電話機をオフフックと成し次番の電話番号にダイヤルを行う一方、前記カウンタの出現が検出されたとき、前記携帯電話機のオンフックを維持するよう構成されて成ることを特徴とする通信システム。
【発明の詳細な説明】
【０００１】
【発明の属する技術分野】
本発明は、携帯電話機を始め、ノート型パソコン、通信機能を備えないＰＤＡ等の画像表示装置の画面から情報を取得する方法及び装置、並びに携帯電話機等の画像表示装置の画面から取得された情報を利用した通信システムに関する。
【０００２】
なお、本明細書において携帯電話機とは、狭義の携帯電話機の他、ＰＨＳ等も含み、また、無線通信機能を備えたＰＤＡ等も含む。
以下、携帯電話機を例に説明する。
【０００３】
【従来の技術】
電話等の通信網が発達した今日にあっては、販売する物品や提供するサービスの広告や営業、その他アンケート調査等において、購買者や調査対象者を個別訪問等することなく電話による広告や営業活動、アンケート調査が行われる場合も多くなっている。
【０００４】
そして、このような直接広告やアンケート調査等に対しては、例えば入手された購買対象者や調査対象者の名簿やリストに従って、多数者に電話を掛け、または調査対象地域の局番等を有する電話番号のうち、不作為に抽出された電話番号に順次電話を掛け、このうち、着信側電話において応答があった場合において、この応答した者に対して広告や営業、アンケート調査等が行われる場合が多い。
【０００５】
このような広告・営業、アンケート調査等は、従来、印刷された名簿やリスト等に記載された電話番号に対して順次電話を掛けることにより行われていたが、このような作業をより効率的に行うために、近年にあっては例えば電話を掛ける相手方の名簿やリストをデータベース化し、このデータベース中に記憶された電話番号に対して例えばパーソナルコンピュータ等のコンピュータ端末を介して電話を掛けることができるよう構成した通信システムが開発されている。
【０００６】
このようなシステムの一例として、例えば特開２００１−２４５０５１号公報に示す「電話営業支援システム」がある。
【０００７】
この電話営業支援システムは、公衆回線網に接続されているヘッドセット等を備えた端末装置を使用して電話をかけることができるよう構成したものであり、オペレータは、データベースに記憶された顧客リスト中、前記端末に呼び出されたデータを端末機の画面上に表示すと共に、例えばマウスのクリックにより所定の番号に対するダイヤルの開始等を指示することで、オペレータが直接電話機のプッシュボタン等を操作することなく、コンピュータ端末がこの端末に接続された電話回線を介して効率的に電話を掛けることができるよう構成したシステムがある。
【０００８】
【発明が解決しようとする課題】
携帯電話の普及により、前述のような広告や営業の電話、アンケート調査等の電話を携帯電話に対して行う場合も少なくない。
【０００９】
この場合、一般の加入電話から携帯電話に対して電話をかける場合に比較して携帯電話相互間で通話を行う場合の方が通話料が低料金に設定されていることから、発信側を携帯電話機とすれば通話料金の点で有利である。そして、電話を掛けるオペレータが携帯電話機を直接操作する煩わしさを軽減するために前述の通信システムにおいてコンピュータ端末に接続された電話回線に代え携帯電話機を接続することにより同様の構成の通信システムを携帯電話機を利用して形成することが可能である。
【００１０】
ところで、前述の特開２００１−２４５０５１号公報に示された通信システムにおいて、コンピュータ端末機に対するダイヤルの開始や回線切断の指示はいずれもオペレータが画面上の操作により行っているため、例えば顧客対象者が留守で、着信側電話において応答がない場合、オペレータは所定回数のリングバックトーン（所謂「呼び出し音」）を聞き取った後、この番号の顧客対象者が留守であると判断して回線切断の操作をすると共に、画面上に表示されている次の顧客対象者に対するダイヤルの開始を選択することにより順次ダイヤルを行っている。しかし、これらの判断の全てをオペレータに行わせることとすると、オペレータに対する負担は多大なものとなる。
【００１１】
そこで、例えば前述のコンピュータ端末機に、設定されたタイミング（例えば所定の時間、又は設定された回数のリングバックトーンの受信等）中に着信側電話機の応答がない場合には、着信側が「留守」であると判断して回線を切断し、次の対象者の番号に順次電話を掛けるようプログラムする等してオペレータの負担を軽減することも考えられるが、着信側電話機がオンフックとなったことを示す情報、すなわち発信側携帯電話機と着信側電話機間で回線が確立された状態にあることを示す情報は、携帯電話機のシリアルピンを介しては出力されず、そのため前述のような判断をコンピュータ端末において自動で行わせることはできない。
【００１２】
しかし、前述のように着信側電話機との間に回線が確立している状態であることはシリアルピンからのデータとしては出力されないものの、この回線の確立と同時に携帯電話機等の画像表示装置の画面上では通話時間のカウンタが出現することにより確認することができる。
【００１３】
このように携帯電話機においては、シリアルピンからのデータとして得ることはできないものの、画面上に表示されている画像から得られる情報も多数存在していることから、このように画面上の表示から情報を取得して利用することができればシリアルピンを介して取得される情報を補って、又はシリアルピンを介して取得される情報と共にこの情報を携帯電話を利用した各種機器の制御等に使用することもでき、従来行うことのできなかった各種の複雑な制御も可能となる。
【００１４】
そこで本発明の第１の目的は、携帯電話機等の画像表示装置の画面上に表示される情報を電気信号等の形で他の機器等において利用可能な状態で取得する方法及び装置を提供することを目的とする。
【００１５】
また、本発明の別の目的は、前述の方法及び装置を利用して、オペレータの負担を軽減することのできる通信システムを提供することを目的とする。
【００１６】
【課題を解決するための手段】
上記目的を達成するために、本発明の携帯電話機等の画像表示装置の画面から情報を取得する方法は、少なくとも取得する情報の表示が行われる位置に対応する携帯電話機１０の画面１１上において、前記画面１１に表示されている画像の変化を検知し、前記画面の変化を検知した検知信号を前記情報として取得することを特徴とする（請求項１）。
【００１７】
携帯電話機１０の画面から取得する情報が、この携帯電話機１０と、この携帯電話機１０により呼び出されている着信側電話機との間に回線が確立したことを示すデータである場合には、通話時間のカウンタの出現が、前述の画像の変化として読み取られる（請求項２）。
【００１８】
また、本発明の携帯電話機等の画像表示装置の画面から情報を取得する装置（画像検出装置１）は、少なくとも取得する情報の表示が行われる位置における携帯電話機１０の画面１１上に取り付けられ、該画面上１１に表示される画像の変化を検知した検知信号を出力する検知手段２１を有することを特徴とする（請求項３）。
【００１９】
前述の画像検出装置１は、前記検知手段２１を光センサと成すことができ（請求項４）、このように光センサを使用する場合には前記画面１１からの反射光が前記光センサ２１に受光されるよう、前記取得する情報の表示が行われる位置における前記携帯電話機１０の画面１１上の位置に光を照射する光源２２を設ける構成としても良い（請求項５）。
【００２０】
また、前述の画像検出装置１には、前記画面１１を被覆するカバー２３を設けると共に、該カバー２３に設けられた取付孔２４（及び２５）内に前記光センサ２１又は光センサ及び光源２２を取り付けた構成とすることもできる（請求項６）。
【００２１】
さらに、前述のようにして携帯電話機等の画像表示装置の画面より得られた情報は、本発明の通信システムにおいて利用することができ、携帯電話機１０に設けられたシリアルピンを介して前記携帯電話機１０と接続され、前記携帯電話機１０を操作可能と成すコンピュータ端末６０と、
前記コンピュータ端末６０に接続され、前記コンピュータ端末６０及び前記携帯電話機１０を介して通話を可能と成す通話手段６１と、
通話時間のカウンタ１２が表示される位置における前記携帯電話機１０の画面１１上に取り付けられ、該画面１１上に表示される前記カウンタ１２の表示が出現したことを検知する検知手段２１を備えた画像検出装置１とを備え、
前記コンピュータ端末６０は、予め記憶されたプログラムに従って前記携帯電話機１０を介して複数の電話番号に連続してダイヤルを行うよう構成されて成り、
一の番号のダイヤルに対し、設定されたタイミング内に前記画像検出装置１による前記カウンタ１２の出現が検出されないとき、前記携帯電話機１０をオフフックと成し次番の電話番号にダイヤルを行う一方、前記カウンタ１２の出現が検出されたとき、前記携帯電話機１０のオンフックを維持するよう構成されて成ることを特徴とする（請求項７）。
【００２２】
【発明の実施の形態】
次に、本発明の実施形態につき添付図面を参照しながら以下説明する。
１．画像検出装置
携帯電話機等の画像表示装置の画面から情報を取得するための本発明の装置（本明細書において「画像検出装置」という。）は、携帯電話機１０の画面１１上に表示される画像の変化を検知する例えば光センサ等の検知手段２１を少なくとも含み、本実施形態にあっては、携帯電話機１０の画面上に取り付けられる前記検知手段を備えた画像検出部２と、この画像検出部２においてアナログ信号として出力された画像の変化をデジタル信号に変換するアナログ／デジタルコンバータ３（以下「Ａ／Ｄコンバータ３」という。）と、この装置の各部の動作を制御するマイクロプロセッサ（ＭＰＵ）等の中央処理装置４を備えている。
【００２３】
また、後述するように携帯電話機１０の画面１１において反射されたＬＥＤ等の光源２２からの光を光センサ２１により受光することにより画像の変化を反射光量の変化として検知する本実施形態の画像検出装置１にあっては、この光源２２より照射される光量を最適なものとするための光量調整手段５を備えている。
【００２４】
もっとも、画面１１や検知手段２１の種類によって、光源２２を設けることなく検知手段２１が画像の変化を検知し得る場合には、前述の光源２２及び光量調整手段５は、必ずしもこれを設ける必要はなく、また、光源２２を設ける場合であっても、光量調整を手動にて調整可能とする等、光量調整手段５は光源２２と共に常にこれを設けなければならない性質のものではない。
【００２５】
１−１．画像検出部
前述の画像検出部２は、本実施形態にあっては携帯電話機１０の画面１１上に光を照射するＬＥＤ等の光源２２と、携帯電話機１０の画面１１において反射された前述の光源２２からの光を検知するフォトトランジスタ等の光センサ２１から成り、この光源２２と光センサ２１が、取得すべき情報が表示される位置において携帯電話機１０の画面１１上に配置されるよう、携帯電話機１０の画面１１上に取り付けられている。
【００２６】
この光源２２と光センサ２１は、図２に示すように携帯電話機１０の画面１１上を被覆するように取り付けらる板状のカバー２３に形成された例えば開孔２４，２５内に取り付けられており、このカバー２３を画面１１に取り付けることで、前述の位置において画面１１に対峙するよう構成されている。
【００２７】
このカバー２３は、光センサ２１や光源２２等を携帯電話機１０の画面１１上の所定の位置に取り付けることができるものであればその形状、サイズ等は特に限定されないが、検知手段として光センサ２１を使用する場合には、画面１１が一部でも露出しているとこの光センサ２１が周囲の明るさの変化をも画像の変化として検出するおそれがあることから、画面１１全体を覆い、周囲の明るさの変化により光センサ２１等の検知手段が影響を受けないよう構成することが好ましい。
【００２８】
携帯電話機１０の画面上に表示される情報中、着信側電話機がオンフックとなったこと、従って、発信側携帯電話機１０と着信側電話機との間の回線が確立された状態にあることを示す情報を携帯電話機１０の画面１１上より得ることを目的とした場合を例にとって説明すると、この目的を有する画像検出装置１にあっては、携帯電話機１０の画面１１上に表示される画像中、通話時間のカウンタ１２が表示される位置にこの光センサ２１及び光源２２が配置されるようこれらを取り付けているが、画面１１の表示から他の情報を取得する場合には、それぞれ画面１１上において取得する情報が表示される位置に対応して光センサ２１や光源２２を取り付けるよう構成しても良く、また、画面１１の表面全体に検知手段を設けても良く、さらに、使用する検知手段についても、画面１１上の画像の変化を検出可能なものであれば、前述の光センサに限定されず各種のものを使用することができ、その構成は図示の例に限定されない。
【００２９】
１−２．光量調整手段
このように、光源２２より照射された光を携帯電話機１０の画面１１上で反射させ、反射した光を光センサ２１が受光するよう構成した本実施形態の画像検出装置１にあっては、光源２２より照射される光量を調整する光量調整手段５を備え、この光量調整手段５により、携帯電話機１０の画面１１や表示されている画像等に応じて最適な光量が光源より照射されるよう構成されている。
【００３０】
この光量調整手段５は、本実施形態にあっては光センサ２１の検知信号に基づき、光源２２より照射する光量を自動的に調整するもので、例えばサーボアンプにより構成されている。
【００３１】
そして、このサーボアンプに対して光センサ２１の検知信号をフィードバックして入力することにより、又は光センサ２１の検知信号に基づき得られた制御信号を入力することにより、入力された信号等に応じて光源２２に対する入力を変化させて光源２２より照射される光量と、光センサ２１が受光する光量とをバランスさせて、前述の画像検出部２における画像検出能力が最適に発揮されるよう構成されている。
【００３２】
このように、サーボアンプ等から成る光量調整手段５を設けることにより、携帯電話機１０の画面１１に対して画像検出部２を取り付けるだけで、光源２２より照射される光量が自動的に制御されて、その調整が容易である。
【００３３】
１−３．中央処理装置
中央処理装置４は、光センサ２１からの信号が所定の画像の変化、例えば携帯電話機等の画像表示装置の画面上に通話時間を示すカウンタ１２が出現したことを示すものであると判断したとき、その結果を電気的な信号として出力する。
【００３４】
また、前述のように画像検出装置１が光量調整手段５を備える場合には、光センサ２１からの信号に基づき光量調整手段５を制御し、光源２２より照射される光量を調整する。
【００３５】
本実施形態にあっては、このような中央処理装置４として、ＬＳＩに演算ユニット、レジスタ、デコーダ、コントローラ、プログラムカウンタなどを組み込んだ、所謂「マイクロプロセッサ（ＭＰＵ）」を使用している。
【００３６】
そして、光センサ２１より出力された検知信号を前述のＡ／Ｄコンバータ３においてデジタル信号に変換した後、このＭＰＵ４に入力すると、ＭＰＵ４は予め記憶されたプログラムに従い前述の光量調整手段５を制御し、光源２２より照射される光量が最適と成るよう光源２２に対する入力を調整する。
【００３７】
また、ＭＰＵ４は予め記憶されたプログラムに従い入力された電気信号が携帯電話機１０の画面１１上に表示された画像の変化前後のいずれの状態を示すものであるかを判断し、光センサ２１からの信号の変化が取得すべき情報を示す画像の変化によるものであると判断した場合には、この判断結果に従った信号を出力する。
【００３８】
１−４．動作説明
以上のように構成された本発明の画像検出装置１を使用して、本発明の画像検知装置１が取り付けられた携帯電話機１０と、この携帯電話機１０よりコールされた着信側電話機間の回線が確立したという情報を、携帯電話機１０の画面１１上に表示された画像の変化より取得する例について説明する。
【００３９】
まず、本発明の画像検出装置１の画像検出部２を構成するカバー２３が携帯電話機１０の画面１１上を覆うようにこれを携帯電話機１０に取り付け、このカバー２３に取り付けられた光源２２と光センサ２１を、画面１１上の通話時間を示すカウンタ１２が表示される位置に対峙して取り付ける。
【００４０】
この状態において携帯電話機１０に電話番号を入力すると、携帯電話機１０の機種によっても異なるが、例えば携帯電話機１０の画面１１は図３（Ａ）に示す待ち受け画面から、図３（Ｂ）に示すように入力されたダイヤルが文字にて表示された画面に変化する。
【００４１】
そして、ダイヤルを開始すると、この番号に対して呼び出しが行われ、携帯電話機１０のスピーカーからはリングバックトーンが出力される。
【００４２】
コールされている着信側電話機がオンフックとなり、着信側電話機との間で回線が確立すると、この時から通話料金のカウントが開始されると共に送信側の携帯電話機１０の画面１１上には、この回線確立からの時間をカウントするカウンタ１２の表示が出現する〔図３（Ｃ）〕。
【００４３】
通話時間をカウントするカウンタ１２が表示される画面１１上の位置にはこれに対峙して、前述の光源２２及び光センサ２１が配置されていることから、携帯電話機１０の画面１１上にこのカウンタ１２が表示されると、この表示が出現することにより画面１１の当該位置における反射率が変わり、光センサ２１が受光する光量は表示がされる前後において変化する。
【００４４】
そのため、この受光量の変化に伴い、光センサ２１より出力される電気信号も変化し、この変化が画面に表示された画像の変化を検知した検知信号として出力される。
【００４５】
光センサ２１からの信号は、Ａ／Ｄコンバータ３に導入されてデジタル信号に変換された後、前述のＭＰＵ４に入力され、このＭＰＵ４においてこの信号がカウンタ１２の出現を検知した検知信号であるか否かが判断される。
【００４６】
この判断は、シュミレーション等により設定された所定の数値、カウンタ１２の出現時にサンプリングされた数値等と対比することにより行われ、このようにして光センサ２１からの信号が、カウンタ１２の出現を示す信号、すなわち発信側携帯電話機と着信側電話機間の回線が確立したことを示すデータであると判断した場合、前述のＭＰＵ４は、例えばこの情報を利用する各種機器に、この判定結果を所定の信号（例えば制御信号）として出力する。
【００４７】
そのため、例えば携帯電話機１０の画面１１が一例として図３に示すように待ち受け画面から電話番号番号を表示した画面〔図３（Ａ）から図３（Ｂ）〕に変化した場合においても、光センサ２１はこの画像の変化を受光量の変化として検知するものの、前述のようにＭＰＵ４においてシュミレーションやサンプリングにより得られたデータとの対比結果に基づき検知信号がカウンタ１２の出現を検知したものであるか否かの判断がされるため、画像検出装置１からの出力は正確である。
【００４８】
また前述のＭＰＵ４は、デジタル変換された光センサ２１からの信号に基づき、光源２２より照射される光量を制御するための制御信号を前述の光量制御手段５に出力し、この制御信号に応じて光量制御手段５は光源２２による光の照射量を調整して、光センサ２１による検知能力が最適に発揮される状態を維持する。
【００４９】
２．画像検出装置の利用例
以上のように構成された本発明の画像検出装置１の利用例を以下に示す。
【００５０】
２−１．通信システム
図４〜図６は、前述の画像検出装置１をコンピュータ端末６０を使用した通信システム６において利用する例であり、この通信システム６は、コンピュータ端末６０と、このコンピュータ端末６０に接続されたヘッドセット６１等の通話手段、及び前記コンピュータ端末６０にそのシリアルピンが接続された携帯電話機１０から成り、このコンピュータ端末６０を介して前述の携帯電話機１０を操作することにより、ヘッドセット６１を装着したオペレータがこの携帯電話機１０との間に接続が確立された着信側電話機の使用者と会話できるよう構成されている。
【００５１】
このコンピュータ端末６０は、携帯電話機用のモデム８０や携帯電話機１０のオンフック、オフフック、ダイヤル等の動作を行うＮＣＵ（Ｎｅｔｗｏｒｋ　Ｃｏｎｔｒｏｌ　Ｕｎｉｔ）９０等、携帯電話機１０を接続するために必要な装置類を備え、これらの機器を介して携帯電話機１０のシリアルピンがコンピュータ端末６０に接続されている。
【００５２】
なお、これらのモデム８０やＮＣＵ９０は、例えばコンピュータ端末６０のケース内に収容して、コンピュータ端末６０と一体的に形成することもできるが、図４に示す実施形態にあっては説明の便宜上、モデム８０及びＮＣＵ９０をコンピュータ端末６０のケース外に配置した例を図示している。
【００５３】
また、図４に示す例にあっては、モデム８０とＮＣＵ９０とを別個のものとして図示しているが、ＮＣＵ９０をモデム８０内に内蔵した構成としても良い。
【００５４】
本通信ステム６は、さらに上記構成に加えて前述の実施形態において説明した、カウンタ１２の出現を検知する画像検出装置１を備えており、この画像検出装置１の画像検出部２を前述のコンピュータ端末６０に接続された携帯電話機１０の画面１１上に取り付けると共に、ＭＰＵ４より出力される信号をＮＣＵ９０に入力可能としている。
【００５５】
なお、画像検出装置１からＮＣＵ９０に対する信号の入力は、有線により行っても良いが、このデータの送信は無線により行っても良く、この場合には必要な無線送受信手段をＭＰＵ４とＮＣＵ９０間に設ける。
【００５６】
以上のように構成された通信システム６の構成において、本通信システム６はコンピュータ端末６０に記憶されたプログラムに従い、例えばランダムな組み合わせにより作成された複数の電話番号に対して順次ダイヤルするよう構成した例、一例として作成された電話番号の一に対するダイヤルを携帯電話機に指示すると共に、所定時間内又は所定回数の呼び出し中に携帯電話機１０の画面１１上に前述のカウンタ１２が出現しない場合、携帯電話機１０をオフフックと成し、次番の電話番号に対してダイヤルを開始して前述の動作を繰り返すよう構成することにより、例えば携帯電話機を所有する不特定多数者を対象とした直接広告等を行う際に利用される通信システムとして構成している。
【００５７】
前述の動作を実現するために、この通信システム６を構成するコンピュータ端末６０は、メモリ内に記憶されたプログラムの実行により、ランダムな数字の組み合わせにより携帯電話番号を作成する番号発生手段７２、携帯電話機１０のシリアルピン及び前述の画像検出装置１におけるＭＰＵ４からの信号をＮＣＵ９０やモデム８０を介して受信し、この受信した信号に従いＮＣＵ９０を制御して携帯電話機１０のオンフック、オフフック、前記番号発生手段で発生した番号に対するダイヤル等の動作を行わせる制御手段７１を実現している。
【００５８】
このように構成された通信システム６の動作を図６を参照して説明すると、まず、制御手段７１により番号発生手段７２において発生された電話番号の一がＮＣＵ９０に対して出力され、この番号に対するダイヤルが指示されると、ＮＣＵ９０は、携帯電話機１０をオンフックとして回線を開くと共に、この携帯電話機１０を使用して入力された電話番号に対してダイヤルを開始する。
【００５９】
入力された番号に対するダイヤルを行うと、携帯電話機１０のシリアルピンからは、着信側携帯電話を呼び出し中であることを示すリングバックトーン（所謂「呼び出し音」）が出力され、ＮＣＵ９０、モデム８０を介して制御手段７１はこれを受信する。
【００６０】
制御手段７１は、例えばダイヤルの指令から一定時間内、又は予め設定された回数のリングバックトーンの受信中に、画像検出装置１がカウンタ１２の出現を検知しない場合には、この着信側携帯電話機は応答不能な状態にあると判断し、ＮＣＵ９０に対して携帯電話機１０のオフフックを指令する。そして、番号発生手段７２において発生された次番の電話番号に対するダイヤルをＮＣＵ９０に指令し、前述の動作が繰り返される。
【００６１】
一方、前述の設定時間内、又は設定回数のリングバックトーンの受信中に、前述の画像検出装置１がカウンタ１２の出現を検知した場合、制御手段７１はオンフック状態を維持し、例えばオペレータによる回線切断の指示、携帯電話機１０のシリアルピンからのビジートーンの受信、又は前述の画像検出装置１によるカウンタ１２の消滅が検知されるまで、オペレータによる会話が可能な状態を保持する。
【００６２】
なお、前述のように検知手段として光センサ２１を使用する場合には、前述のように光センサ２１は例えば携帯電話機１０に対する電話番号の入力により画面の表示が待ち受け画面から入力された番号を表示する画面に変化したことに伴う画像の変化をも検知するが、前述のようにＭＰＵ４においてこの信号がカウンタ１２の出現を表す信号であるか否かの判断に従ってＮＣＵ９０に対する出力が行われる場合には、この信号を直接、制御手段７１における動作の契機として使用しても良く、また、例えば画面１１上の変化を全て検知してこれをＮＣＵ９０側に出力するよう構成しても良く、この場合には、例えば制御手段７１はシリアルピンを介して出力された情報（例えばダイヤルトーンやリングバックトーンの受信タイミングとの関係等）との関連において、これらの信号のうちいずれがカウンタ１２の出現を示す情報であるかを判断し、その判断結果に基づき前記各部を制御するよう構成しても良い。
【００６３】
以上のようにして着信側電話機間との通信中、携帯電話機１０のオンフックが維持された後、例えば前述のようにオペレータによる回線切断の指示、携帯電話機１０のシリアルピンからのビジートーンの受信、又は前述の画像検出装置１によりカウンタ１２の表示が消滅したことが検知される等の条件により制御手段７１は携帯電話機をオフフックと成す。
【００６４】
その後、制御手段７１は、番号発生手段７２により発生された電話番号のうち、次にダイヤルすべき電話番号をＮＣＵ９０に出力し、この指令に従って、ＮＣＵ９０は受信した携帯電話番号に対しダイヤルし、前述の作業を繰り返す。
【００６５】
以上説明した通信システムにあっては、コンピュータ端末６０においてランダムに作成された電話番号に対して電話を行うよう構成していたが、例えば従来技術として説明した特開２００２−９２３０１号公報に示す電話営業支援システムのようにデータベース等に格納されているデータ中から、所定の条件に従って抽出された電話番号に対して順次ダイヤルするよう構成しても良く、その構成は前述の例に限定されるものではない。
【００６６】
３．その他の利用例（遠隔監視システム）
前述の実施形態にあっては、本発明の画像検出装置１を着信側電話機がオンフックとなったか否かの情報を得るためのものとして使用する例を示したが、本発明の画像検出装置１の利用方法は、これに限定されるものではなく、携帯電話機１０の画面１１上に表示された画像の変化に基づいて取得可能な各種の情報の取得するために使用することができる。
【００６７】
図７は、本発明の画像検出装置１を利用した遠隔監視システムの構成例であり、発信側携帯電話機１０は画面１１上に動画を表示可能に構成されていると共に、この発信側携帯電話機１０の画面１１上に本発明の画像検出装置１の画像検出部２が取り付けられている。
【００６８】
本実施形態の画像検出装置１にあっては、その画像検出部２は前述の図１に示す実施形態のように画面１１上の一点における画像の変化を検出するものとして構成しても良いが、より好ましくは例えば前述の光センサ２１を画面１１上の複数箇所に取り付け、発信側携帯電話機１０の画面１１上に表示されている画像に僅かな変化が生じた場合であってもこれを検出できるよう構成することが好ましい。
【００６９】
この発信側携帯電話機１０との間で通話がされる着信側電話機は、本実施形態にあってはＣＣＤカメラ等の受像手段を備え、この受像手段により撮影された画像を動画として発信側携帯電話機１０に送信可能な機能を備えている。
【００７０】
また、この着信側携帯電話機には着信側携帯電話機より発せられる信号によりシャッター操作可能に構成されたカメラ６５が取り付けられており、発信側携帯電話機１０の画面上に表示された画像の変化が検知された場合には、コンピュータ端末６０に記憶されたプログラムに従い、着信側携帯電話機に対してカメラ６５のシャッターを切るよう指示する電気信号を送信可能に構成されている。
【００７１】
以上のように構成された遠隔監視システムにおいて、着信側携帯電話機とこの携帯電話機により操作されるカメラ６５とをいずれも監視対象（例えば、監視する建物の玄関等）に向けて配置する。
【００７２】
この際、着信側携帯電話機に付けられているＣＣＤカメラと、この携帯電話機によりシャッターが操作されるカメラ６５のレンズとは略同一の範囲を撮影可能なようにその向きを調整しておく。
【００７３】
このように構成された遠隔監視システムにあっては、着信側携帯電話機のＣＣＤカメラを介して撮影された画像が、常時発信側携帯電話機１０に送信されて、発信側携帯電話機１０の画面１１上にこの画像が表示されている。
【００７４】
そして、　発信側携帯電話機１０において受信される画像に変化が生じると、この画像の変化を画像検出装置１が検知して、検知信号をコンピュータ端末６０に出力する。
【００７５】
検知信号の出力を受けたコンピュータ端末６０は、発信側携帯電話機１０、着信側携帯電話機を介してカメラ６５のシャッター操作を行うための制御信号を出力し、カメラ６５にて監視対象を撮影する。
【００７６】
従って、発信側携帯電話機１０の画面１１上に、静止した風景である建物の玄関の画像が表示されている場合を考えると、来客した人物等がこの風景内に入り込むことにより発信側携帯電話機１０の画面１１上に表示されている画像に変化が生じると、この変化を検知した画像検出装置１より出力された信号に基づいてカメラ６５のシャッターが切られるので、来客者の風貌等を写真に撮影することができる。
【００７７】
【発明の効果】
以上説明した本発明の構成により、本発明の画像検出装置によれば、携帯電話機等の画像表示装置の画面上より得られる情報を電気信号等の他の機器等において利用可能な状態で取得することができた。
【００７８】
従って、この取得された電気信号等を他の機器に対して制御信号等として入力することにより、携帯電話機等の画像より得た情報に基づいてこれらを制御することができ、例えば携帯電話機のシリアルピンからは出力されないが画面上からは得ることができる情報に基づいて各種機器を制御することができ、より複雑な制御を行うことが可能となった。
【００７９】
例えば、発信側携帯電話機等の画像表示装置の画面上に表示される通話時間をカウントするカウンタの出現を検出することにより、画像検出装置が取り付けられた携帯電話機により呼び出された着信側電話機がオンフックとなったこと、すなわち発信側携帯電話機と着信側電話機間における回線が確立したことを情報として取得することができ、この検知信号を制御信号として使用することができる。
【図面の簡単な説明】
【図１】本発明の画像検出装置の構成例を示す概略説明図。
【図２】本発明の画像検出装置における画像検出部の構成を示す概略説明図。
【図３】発信側携帯電話機等の画像表示装置の画面の変化を示す説明図であり、（Ａ）は待ち受けの状態、（Ｂ）はダイヤル中、（Ｃ）は回線確立時の状態を示す。
【図４】本発明の画像検出装置を使用した通信システムの概略説明図。
【図５】図４の通信システムの機能ブロック図。
【図６】図４の通信システムの動作フロー。
【図７】本発明の画像検出装置を使用した遠隔監視システムの構成例を示す概略説明図。
【符号の説明】
１　画像検出装置
２　画像検出部
２１　光センサ（検知手段）
２２　光源（ＬＥＤ）
２３　カバー
２４，２５　取付孔
３　Ａ／Ｄコンバータ
４　中央処理装置（マイクロプロセッサ：ＭＰＵ）
５　光量調整手段（サーボアンプ）
１０　携帯電話機
１１　画面（携帯電話機等の画像表示装置）
１２　カウンタ
１３　電話番号
６　通信システム
６０　コンピュータ端末
６１　ヘッドセット（通話手段）
６５　カメラ
７１　制御手段
７２　番号発生手段
８０　モデム
９０　ＮＣＵ
【図１】
2004032611.tif 000003
【図２】
2004032611.tif 000004
【図３】
2004032611.tif 000005
【図４】
2004032611.tif 000006
【図５】
2004032611.tif 000007
【図６】
2004032611.tif 000008
【図７】
2004032611.tif 000009